(57)【要約】【課題】性感染症予防等の観点からしてもコンドームの使用は奨励されるべきものであるが、促進するためには高度に装着し易いものにする必要があった。【解決手段】装着時にコンドームの口径を押し広げる本発明器具に予めコンドームをセットして傍らに準備しておくことで、必要となった時に短時間で即、暗闇であっても、極めてスムーズな装着を可能とするものであり、もってコンドームの使用を促進する器具と取り扱い装着方法を提供する。【選択図】図６
2004208999.tif 000002
【特許請求の範囲】
【請求項１】
内側横方向に円曲し先端部にゴム掛かり（ｃ）を有する複数個の可動爪体（ａ）を互いに向き合わせて円筒状を形成させ、これを該可動爪体（ａ）と同数の連結部材（ｂ）で連結構成するコンドーム装着器具であって、該ゴム掛かり（ｃ）にコンドームの巻上げ部（ｄ１）を係止し、指掛かり（ｅ）を手掌力の操作によって握り縮めて該連結部材（ｂ）の位置する部位を支点としてテコの原理を該可動爪体（ａ）に作用させる手段をもって、該巻上げ部（ｄ１）の口径を、基準とする口径まで内側から拡張し、その拡張状態で亀頭（ｆ１）に当接被覆させながらそのまま陰茎の根元方向へ進行させて装着するコンドーム装着器具。
【請求項２】
内側横方向に円曲し先端部にゴム掛かり（ｃ）を有する複数個の可動爪体（ａ）を互いに向き合わせて円筒状を形成させ、これを該可動爪体（ａ）と同数の連結部材（ｂ）で連結構成するコンドーム装着器具であって、該ゴム掛かり（ｃ）にコンドームの巻上げ部（ｄ１）を係止して準備段階とし、随時の使用に備えて待機させ置き、必要に際して即応することを可能とした特許請求の範囲第１項に記載のコンドーム装着器具による取扱い装着方法。
【請求項３】
装着器具本体（Ｘ）全体を一体成形の手段によって１個の器物として形成することを特徴とした特許請求の範囲第１項に記載のコンドーム装着器具。
【請求項４】
可動爪体（ａ）の連結部材（ｂ）が伸縮性を有する紐体、凹凸部が互いに嵌合し合うジョイント、金属または剛性を有する樹脂からなるピン、一体成形の手段による可動爪体（ａ）と同じ材質の一部からなる部材、剛性を有する樹脂からなるリング、の中から選ばれる部材によって連結する手段とした特許請求の範囲第１項に記載のコンドーム装着器具。
【請求項５】
装着器具本体（Ｘ）を構成する可動爪体（ａ）の数が２個以上である特許請求の範囲第１項に記載のコンドーム装着器具及び、第２項に記載のコンドーム装着器具の取扱い装着方法。
【請求項６】
装着中にコンドームの口径を拡張し、また弛めることを自在に繰り返す操作を可能としたものである特許請求の範囲第１項に記載のコンドーム装着器具及び第２項に記載のコンドーム装着器具の取扱い装着方法。
【請求項７】
可動爪体（ａ）の形状が支点部を中心とした前後に対称形かそれと同等の形状とすることで使用時の方向規制を解除したものである特許請求の範囲第１項に記載のコンドーム装着器具及び第２項に記載のコンドーム装着器具の取扱い装着方法。
【発明の詳細な説明】
【０００１】
【発明の属する技術分野】
本発明はコンドームの使用を促進する装着補助器具（以下装着器具と言う）に関するものである。
【０００２】
【従来の技術】
従来の技術においては、外径約６ｃｍのリングの外形に断面が半円状の溝をつくりこれを装着用のガイド器具として、該溝にコンドームの巻き取り部分を架けてセットして使用するコンドーム装着用ガイド器具（公開番号、特開平６−１５４２６０）として開示がされている。
【０００３】
通常巻き上げられた状態のコンドームの内径は３０ｍｍ内外であり、リング状を呈する巻上げ部の断面形状はコンドーム自体である薄膜が幾重にも積層した、及び積層する故に極めて引っ張り強度の強い紐状のリング構造を呈することとなっている。
【０００４】
こうした形状のコンドームを指先の力をもって引っ張り広げて外径６ｃｍのリングへ全周囲に架けることは物理的に容易には行い難いことで不便であった。それは装着後に取り外すときも同様に強い緊張であるから外し難く、不便であるばかりでなくコンドームの破断さえも危惧されるものであった。
【０００５】
また（公開番号、特開平７−３０８３３６）における開示には亀頭部よりも大きな内径を持つＵ字型を成す器具に対して、全解された状態のコンドームをたくし上げた状態で係止した後で器具を先行させて装着するものである。
【０００６】
この方法であると巻き上げられている状態のコンドームを敢えて解きほぐさなければならない不便さがあり、さらにほぐしたものを引っ張り広げながら器具に係止完了することはむつかしい作業であり操作性において不便であった。
【０００７】
そして装着時、器具が先行するのであるから器具が腹部に到達してもそれは未だ装着が済んでいない時点であり器具を取り去った後には必ずコンドームの最後の部分、つまりＵ字型の長さと同じ長さ分が前後に弛んだ状態で残る。この弛んだ部分は始めに巻き上げを解除したために出来る弛みであり、陰茎に密着するこの部分を指先で捉え引き伸ばす作業は大変むつかしいもので不便であった。
【０００８】
上記に示した２例の従来技術はいずれも亀頭部を越えることの出来る内径を持って固定された形状の器具であって、コンドームを器具へ係止すること、器具をコンドームから取り外すことの重要な要件で不便なものであった。
【０００９】
【発明が解決しようとする課題】
男女間の性的交渉において性感染症が伝播し人類を不幸にしている事実は古来歴史が証明し、さらにそれは現代へと繋がって現実に多くの人々を苦しませている。こうした事態を回避するための手段として予めコンドームを装着して事に当ることが極めて高い効果を発揮するとされ、広く一般常識として認識されている。
【００１０】
しかしながら、その装着動作は別の見方からすれば面倒な作業であり努力目標であるとも云うことが出来、自然の成り行きとしてこの作業を怠る人々が数多く出現しているであろうことは容易に想像が出来るものであるし、そのことは大きくは人類の危機に直結する問題を孕んでいることもまた事実である。
【００１１】
男女間の性交渉はある種夢心地のときにありその途中でコンドームを装着すると言う動作は極めて現実的な作業であり、興奮の極にあるものに冷や水を浴びせるが如き冷徹で強力な自意識に戻らざるを得ない。その現実を情に負けて忌避してしまう人間の弱さを何人たりとも非難することは出来ないであろう。ここに装着を高度に容易化しなければならない必然性が起る。
【００１２】
従来の技術はいずれも亀頭を通過させるための大きさで固定された器具であり、その大きさへコンドームの巻き上げられた部分を指の力で拡張しながら係止することは非常に困難であった。
【００１３】
その困難さを押して無理な取扱いをすればコンドームを破断するなどの致命的な結果を招くことも危惧されていた。
【００１４】
困難さを克服して装着が成り、器具を取り外す段階にあっても、大径で緊張固定されたゴムの様な薄膜を指先で取り扱うのはむつかしく不便であり、興醒めするものであった。
【００１５】
コンドームを使用することが人にとって煩わしい作業と時間になっていることが問題であることは明白とし、実用化、一般化された装着補助器具も存在しない現状を鑑み本発明においてはコンドームの装着を誰にでも短時間で簡単スムーズに行い得るものとしている。
【００１６】
【課題を解決するための手段】
本発明はコンドームを簡便容易に装着するために作用点が機能的に拡大、縮小する複数の可動爪で構成することを手段とした器具によって課題を解決しようとするものである。
【００１７】
商品としての包装から取り出したときのコンドームは巻き上げられている状態であるが、コンドームの口径は陰茎の平均的な太さに合わせたものであるにもかかわらず、それよりもさらに太い大きさを有する先端の亀頭部を初期に経由しなければ装着することは出来ない。薄膜であっても初期であるゆえ巻上げ部は未だ太くて強靭な緊縮体であることから指で伸ばすなど引き広げることは極めて困難であり、現状にあっては初期のここのところを通過することが最大の難所であり、不本意であつても冷静な行動に引き戻される難関と言える。
【００１８】
そこで本発明では数々の実験と試行を繰り返し鋭意研究を重ねた結果その完成を見たものであり、すなわち、巻き上げられた状態のコンドームを簡単に押し広げる機能をもつ器具を創作開発し、コンドームの口径を亀頭の外径を容易に通過することの出来る大きさまで緊張拡大しそのまま装着へ移行することで装着を容易に行えるものとして完成したものである。
【００１９】
【発明の実施例】
第１図、第２図で示すのは４個の可動爪ａ１〜ａ４によって構成される本発明の実施例であり、各可動爪間は連結ピンｂ１〜ｂ４で連結されることで４個の可動爪が一体をなし本発明器具本体Ｘを構成する。この二図に示す外観が通常の常態である。
【００２０】
各可動爪ａの先端方向へは順次幅が狭くなっており、最大幅の部分、概ね長さの中ほどあたりで隣接する該可動爪ａ同士を弾力性素材からなる該連結ピンｂによって連結し、４個の該可動爪体を一体化しその結果該可動爪ａ１〜ａ４の先端部が作り出す口径部が第２図の如く出現し、この直径をｒ１とする。
【００２１】
直径ｒ１を構成する該可動爪ａの先端部にはゴム掛かりｃ１〜ｃ４が有り、これにコンドームの巻上げ部ｄ１を表側から係止するが、その係止作業を確実で容易なものとするためにｒ１の直径はコンドームの口径よりもやや大程度であることが望ましい。
【００２２】
該可動爪ａの後端部には指掛かりｅ１〜ｅ４があり、これを手掌で包み込んで絞り縮めると第３図、第４図に示す外観を表すが、このとき支点となる部位は４個の該可動爪が互いに接して支え合って成立するものであり連結ピンｂは弾力性素材を用いることで無理なくテコの原理による支点の役割を補完するものである。
【００２３】
絞り縮めた本体Ｘの状態は第３図、第４図のように円筒形を呈しその内径Ｒ２は、膨張状態の亀頭ｆ１が内部を通過できる大きさであって、個人差や人種的差違もあり数値的な決定を妥当とするものではないが４０ｍｍ乃至４５ｍｍ程度を一定の基準とするのも良く、円筒形の円が正確な円でなくとも問題はない。
【００２４】
次に使用方法を説明するならば、コンドームの巻上げ部ｄ１をその表側から第５図に示す様に本体Ｘの先端部であるゴム掛かりｃ１〜ｃ４に係止し、その状態で準備段階として別途簡便な箱などに納めて使用時まで保管待機することが出来る。ｔ１は巻上げ部ｄ１の初期太さの直径である。
【００２５】
装着時、本体Ｘの後端部である指掛かりｅ１〜ｅ４を力点として手掌で絞り縮めると連結ピンｂの部位を支点として可動爪ａはテコとして働き、先端のゴム掛かりｃを作用点としてコンドーム巻上げ部ｄ１をｒ１の小径から大径へと押し広げてその口径を最大のＲ２近くまで緊張拡大するのである。
【００２６】
その状態のまま第６図の様に亀頭ｆ１に当接させて装着を開始し、第７図に示す様に陰茎の根元方向へとさらに押し進めスライドさせるとコンドームの巻き上げ部分が順次繰り出され、やがて全て解き開くと陰茎ｆ全体をコンドームｄが覆い、その時点では手掌力を緩めて器具本体Ｘを取り去って装着を完了する。
【００２７】
また、上記装着開始後の操作について、第８図に示す最大径である亀頭部を越えたなら絞り縮める手の力を弛めることでテコの働きによる緊張を解くと該各可動爪ａはコンドームの薄膜を間に介して陰茎表面上を滑動することになるが、このときはゴム巻上げ部の緊縮力は最小に近いものであるから抵抗力としては喪失されているため、更にスムーズに装着が進む。
【００２８】
第３図に示すゴム掛かりｃの高さｔは、係止したときコンドーム巻上げ部ｄ１がずり落ちて器具から脱落することを防止出来る程度の低めの高さであっても装着を進行させ完了することは可能である。
【００２９】
しかし、第９図一部拡大断面図に示す様に、ゴム掛かりｃの高さｔは装着進行時に繰り出されて行くコンドーム自体である薄膜体を介添えする作用を果すものであり、その形状は可動爪ａの先端部を反り曲げた状態に形成するが、その該ｔは係止したコンドーム巻上げ部ｄ１の初期太さ直径ｔ１と同程度とするとコンドームの繰り出し性が最も良好となり、コンドームにゼリー等の潤滑剤が塗布されているとゴム掛かりとの摩擦が軽減され一層スムーズな繰り出しが実現される。
【００３０】
図によってゴム掛かりｃの作用を説明すると第５図は該ゴム掛かりｃにコンドーム巻上げ部ｄ１を係止した状態であり、矢印は装着進行方向を示しておりｄ２はコンドーム先端袋部である。第６図は指掛かりｅを手掌力によって絞り縮めて該巻上げ部ｄ１を内側から拡張し亀頭部ｆ１へ当接した状態を示す。一点鎖線Ｙはテコの原理を働かせる支点の位置である。
【００３１】
指掛かりｅを絞り縮めた状態で装着進行すると該ゴム掛かりｃの先端部がコンドームｄの薄膜体を前方へ押しながら第７図の装着初期状態に至る。こうして装着が進行すると巻上げ部ｄ１はゴム掛かりｃ上で空転しながら解きほぐされて繰り出され、出された分だけその初期太さ直径ｄ１は細くなっておりこの状態を第９図にｔ２として表記する。装着の進行に沿ってさらに細るべきものであり、それは繰り出しにとって有利に作用する。
【００３２】
第９図に示す様にゴム掛かりｃの高さｔよりも巻上げ部ｄ１の直径ｔ２は低くなったことで繰り出される薄膜体は上方に引き出される方向に変化して行くもので、この方向はゴム掛かりｃに対して緊縮しようと働く巻上げ部ｄ１のリング状の緊縮力をゴム掛かりｃから引き離す解放方向へと働き、繰り出しが容易になる要素となる。
【００３３】
また、装着動作の途中で絞り縮める手の力を弛めたり締めたりと反復動作を行いながらスライド進行をすると巻上げ部ｄ１からのコンドームの繰り出しが促進されよりスムーズな装着進行が実現されるもので、この扱い方が本発明器具取扱い方法の基本である。
【００３４】
本発明の実施には可動爪ａの数を上記実施例以外の複数個で構成することも同様の効果があり、手掌力によって可動爪ａを絞る操作性においては該可動爪数が３又は２など、より少ない数の方が優れている。それはテコの原理を作用させるとき各可動爪が互いに支え合って同時に作動させるものであるから多数の可動爪を同時に絞るよりも第１０図に示す様に少数の可動爪を同時に絞る方が扱い易いと云う理由からである。
【００３５】
本発明を構成する部材及び本体（Ｘ）の材質は樹脂類を用いると操作性が良くコンドームとのなじみも良いが、金属であっても使用は可能である。
【００３６】
本発明装着器具を構成する部材の全てを樹脂類をもって一体成形することは接合部を無くし、接合部に出来る微細な間隙を生じることを無くするため器具を衛生的に保つことができる。
【００３７】
可動爪ａ同士の連結手段において、板状の蝶番や凹凸部の嵌合からなるジョイントによるものも効果が有り、このジョイントが分解可能なものであることもまた有効である。
【００３８】
弾力性を有する樹脂系素材や伸縮性を有するゴム系素材のピン状や紐状を呈するものを接着する手段によって可動爪ａ同士を連結することも製造上高い効果が得られる。
【００３９】
円筒状の内側または外側に金属、プラスチック、ゴム、化学繊維の中から選ばれる素材からなるリングを嵌合接着することで可動爪ａ同士の連結手段とすることも有効である。
【００４０】
可動爪ａは前述したように内側へ円曲し、複数個を向かい合わせて円筒状を形成するが、円筒が必ずしも円形である必要はなく多角形等を成す筒状であっても得られる効果は良い。
【００４１】
前述した指掛かりｅは形成することで滑り止めの役割を果すものであるが、その形成を無しとした場合でもコンドームの装着は可能である。
【００４２】
本発明においては準備段階としてコンドームを係止した装着器具を事前に用意して置くことを説明しているが、もとより必要に応じてその場で装着準備から始めても機能上何らの問題が生じるものではない。事前に消化可能な時間を現在において消化することになるだけで、装着のし易さ、扱い易さに変わりはない。
【００４３】
第１１図に示す様に向かい合う２個の爪ａ１，ａ２に横方向からハンドルｇ１，ｇ２をつけ、このハンドルの中ほど付近で２者をピンｈで連結し、これを支点として、該ハンドルを力点とし、２個の該爪を作用点としてテコの原理を働かせることによりゴム掛かりｃ１，ｃ２に係止されるコンドームを押し広げ装着を容易とすることも有効であり、陰茎に対して横方向から手掌力を作用させる別の実施例である。同図はコンドームを係止しないままにハンドルｇに力を加えて作用点を拡張した状態を示す。
【００４４】
【発明の効果】
本発明においては準備段階と装着段階に分けて対応することを可能としたことで高い相乗効果を引き出すことを実現したもので、すなわち準備段階においてはその使用を期待する者が男女を問わず期待する数だけ本発明器具を用意セットし予め手元に準備しておくことで、装着全体における時間の一部分を先に消化することが出来るので装着部分における興醒め時間が短縮され、また準備しておくことはコンドームの使用を事前にほぼ確定することができると考えられるもので、受動的と言える女性の側からは特にそこから導き出される深い安心感は極めて大きな精神的効果であり、従来考えられなかった効果である。
【００４５】
また、前述した期待する数だけ本発明器具を用意セットし予め手元に準備しておくことは、間を置かず２個以上を使用することに至ったその時いずれの回もコンドームに、厳密に言うならばコンドームの外側大部分に、その後の装着者の清潔でない手指が接触する事なく装着を完了させ得るものであるから期待される衛生状態を保持し易いと云う効果が生じるのである。
【００４６】
本発明器具に係止する時点では、口径ｒ１はコンドームの口径よりも少し大きい程度であるからその係止作業はたとえ指先の力が強くはない女性であっても容易に行い得るもので、状況の変化等で係止したまま何日間か放置することになったとしてもコンドームに無理な力は加わっていないので弛緩するなどの品質劣化や危惧は無く、随時装着へ再開即応することを可能とするもので従来にない新規な特徴である。
【００４７】
装着段階においては、既にセットされた器具もろ共を手に取ることは従来の指先で扱う小さなコンドームのみの時と異なり掌に納まる大きさの手器、利器であるから非常に扱い易い大きさとして利便に供することが出来る。
【００４８】
装着は極めてスムーズに行えるため、興ざめするこれまでの装着時間を最小限にまで減ずることを可能としたことは二人にとって理想的効果である。
【００４９】
器具の外形上方向性が明確であり、既に準備が整えられている状態の本発明器具であるが故に暗がりなどでの手探りの中でも確実に装着することを可能とした。
【００５０】
準備や装着を相手に委ねたとしても何ら問題なく装着が出来ることは、装着実施の確実性を高めるものである。つまり二人のうち一方に装着の意識が希薄な時であっても他方の者に装着実施を可能ならしめたことは本発明の大きな効果である。計画的家族計画の遂行を図る女性の行動を補完することが出来る。
【００５１】
装着後に器具を取り去るときも、そのときは小口径状態にある器具から緊縮力が最小にまで減少したゴムの掛かりを外すことであるから、従来になく極めて簡単容易な事であり進歩性が高い効果である。
【００５２】
充分な勃起が得られないときには従来装着はむつかしいと言われていたが、本発明器具によれば装着を充分に可能としたものである。
【００５３】
こうして得られる多くの効果を背景としてコンドームの使用が促進され得ることが最大の効果であると言える。
【００５４】
【図面の簡単な説明】
【第１図】本発明である器具の側面図である。
【第２図】本発明である器具の平面図である。
【第３図】本発明器具の収束時の状態を示す側面図である。
【第４図】本発明器具の収束時の状態を示す平面図である。
【第５図】本発明器具にコンドームを係止した状態を示す断面図である。
【第６図】、
【第７図】本発明器具の使用時、初期の段階を示す断面図である。
【第８図】本発明器具の使用経過状況を示す断面図である。
【第９図】本発明器具の一部拡大断面図である。
【第１０図】、
【第１１図】本発明の別の実施例を示す斜視図である。
【符号の説明】
ａ，ａ１〜ａ４  ．．．．．．．．．．．可動爪体
ｂ，ｂ１〜ｂ４  ．．．．．．．．．．．連結ピン
ｃ，ｃ１〜ｃ４  ．．．．．．．．．．．ゴム掛かり
ｄ              ．．．．．．．．．．．コンドーム
ｄ１            ．．．．．．．．．．．コンドーム巻上げ部
ｅ，ｅ１〜ｅ４  ．．．．．．．．．．．指掛かり
ｆ              ．．．．．．．．．．．陰茎
ｆ１            ．．．．．．．．．．．亀頭
ｇ１，ｇ２      ．．．．．．．．．．．ハンドル
ｈ              ．．．．．．．．．．．ピン
ｒ１            ．．．．．．．．．．．最小口径
ｔ              ．．．．．．．．．．．ゴム掛かり先端の高さ
ｔ１，ｔ２      ．．．．．．．．．．．コンドーム巻上げ部リング状の太さを示す直径
Ｒ２            ．．．．．．．．．．．最大口径
Ｘ              ．．．．．．．．．．．器具本体
Ｙ              ．．．．．．．．．．．支点を示す位置
【図１】
2004208999.tif 000003
【図２】
2004208999.tif 000004
【図３】
2004208999.tif 000005
【図４】
2004208999.tif 000006
【図５】
2004208999.tif 000007
【図６】
2004208999.tif 000008
【図７】
2004208999.tif 000009
【図８】
2004208999.tif 000010
【図９】
2004208999.tif 000011
【図１０】
2004208999.tif 000012
【図１１】
2004208999.tif 000013